(57)【要約】      （修正有）【課題】仮止めしたネジを全て抜かなくても取付位置の調節ができ、レールが曲がるという不都合も解消でき、また、ボードを張るときにも便利な棚受金具取付レールの壁面取付装置を提供することを目的とする。【解決手段】棚受金具１を取り付けるためのレールを壁面に固定する取付金具３とから構成される棚受金具取付レール２の壁面取付装置であって、取付金具３は、ネジ挿通用の丸孔と傾斜した長孔を形成した断面Ｌ字状の取付基板と、上端が該取付基板に枢支され、且つ、取付基板の丸孔と傾斜した長孔のそれぞれに対向する位置に丸孔と傾斜した長孔を形成した下端に鉤部を有する係止板とから構成され、取付金具３をネジにて壁面に取り付ける際に前記レールの垂直片の背面から水平に伸びる係合片の先端鉤状部を係止板の鉤部と取付基板の下端辺の段部との間で挟着固定することを特徴とする。【選択図】図３
2005095548.tif 000002
【特許請求の範囲】
【請求項１】
棚受金具１を取り付けるためのレール２を壁面Ｗに固定する取付金具３とから構成される棚受金具取付レールの壁面取付装置であって、取付金具３は、ネジ挿通用の丸孔３−１ａと傾斜した長孔３−１ｂを形成した断面Ｌ字状の取付基板３−１と、上端が該取付基板３−１に枢支され、且つ、取付基板３−１の丸孔３−１ａと傾斜した長孔３−１ｂのそれぞれに対向する位置に丸孔３２ａと傾斜した長孔３−２ｂを形成した下端に鉤部３−２ｃを有する係止板３−２とから構成され、取付金具３をネジにて壁面Ｗに取り付ける際に前記レール２の垂直片２−１の背面から水平に伸びる係合片２−５の先端鉤状部２−５ａを係止板３−２の鉤部３−２ｃと取付基板３−１の下端辺３−１ｃの段部３−１ｄとの間で挟着固定することを特徴とする棚受金具取付レールの壁面取付装置。
【発明の詳細な説明】
【発明の詳細な説明】
【技術分野】
【０００１】  本発明は、棚受金具を取り付けるためのレールを壁面に固定する取付金具とから構成される棚受金具取付レールの壁面取付装置に関するものである。
【背景技術】
【０００２】  従来から壁面に敷設されたレールの溝に棚受金具の一部を回転させながら差し入れて取り付けるようにした棚受装置は特開２００２−３６４１０３等の公報によって公知である。
【発明が解決しようとする課題】
【０００３】  このような棚受装置にあっては、壁に取り付けられたレールの前方に開く溝から棚受装置に形成された嵌合片を回転させながら差し入れることによって棚受装置をレール即ち壁面に簡単に取り付けられるというメリットを有して非常に便利ではあるが、棚受金具を取り付けるレールを壁面に複数のネジで直接取り付ける必要があるため、下記のような問題点があった。
【問題点１】
【０００４】  棚受金具を取り付けるレールを壁面に複数のネジで直接取り付けるため、たとえネジを緊締しない仮止め状態であっても取り付け後、何らかの事情でレールの取付位置を調節しなければならないときには、全てのネジを抜いて取り外し、新たに壁面に水平線を付してネジ止めするという面倒な作業をしなければならないだけでなく、調節の都度壁面に無数のネジ孔が空くという問題点があった。
【問題点２】
【０００５】  棚受金具を取り付けるレールを壁面に複数のネジで直接取り付けるため、壁面が平坦でなく、歪んでいて凹凸がある場合、ネジを緊締したときには壁面の凹凸に沿ってレールが曲がるという問題点があった。
【発明の目的】
【０００６】  本発明は、仮止めしたネジを全て抜かなくても取付位置の調節ができ、レールが曲がるという不都合も解消できる棚受金具取付レールの壁面取付装置を提供することを目的とするものである。
【課題を解決するための手段】
【０００７】  本発明に係る棚受金具取付レールの壁面取付装置は、棚受金具を取り付けるためのレールを壁面に固定する取付金具とから構成される棚受金具取付レールの壁面取付装置であって、取付金具は、ネジ挿通用の丸孔と傾斜した長孔を形成した断面Ｌ字状の取付基板と、上端が該取付基板に枢支され、且つ、取付基板の丸孔と傾斜した長孔のそれぞれに対向する位置に丸孔と傾斜した長孔を形成した下端に鉤部を有する係止板とから構成され、取付金具をネジにて壁面に取り付ける際に前記レールの垂直片の背面から水平に伸びる係合片の先端鉤状部を係止板の鉤部と取付基板の下端辺の段部との間で挟着固定することを特徴とするものである。
【発明の作用】
【０００８】  取付金具を壁面に固定するための一方のネジの挿通孔を傾斜した長孔としてあるので、レールを装着した取付金具を長孔に挿通したネジで壁面に仮止めした後、レールの取付位置を調節しなければならない場合、一々レールと取付金具を壁面から取り外さなくても適正な高さ位置となるように調節でき、調節後、他方の丸孔にネジを挿通して壁面に仮止めするだけで取付金具は傾斜した長孔の作用で上下左右方向の自由度がなくなり、取付金具の仮固定後、両ネジを緊締することによって係合片の先端鉤状部が係止板の鉤部と取付基板の下端辺との間で挟着固定され、レールが取付金具を介して壁面に強固に取り付けられる。
【発明を実施するための最良の形態】
【０００９】  本発明装置の実施の形態を実施例について具体的に説明する。
【実施例】
【００１０】  図１は、本発明装置の棚受金具の斜視図、図２は、同装置の棚受金具取付レールと取付金具の斜視図、図３は、同装置を壁面に取り付けた状態の縦断側面図である。【００１１】  図において、１は、垂直片１−１と、棚板Ｔを載置するための棚受部１−２とから成る棚受金具であって、垂直片１−１には棚受部１−２の水平片１−２ａと平行な縁取り片１−２ｂを形成して水平片１−２ａと縁取り片１−２ｂとの間で棚板Ｔの端部を挟持させるように構成されており、垂直片１−１の上端には後述する壁に敷設されたレールに嵌合させる嵌合片１−１ａが全長に亘って設けられている。【００１２】  ２は、棚受金具取付レールであって、垂直片２−１の前方に突出する２つの片２−２、２−３の間で棚受金具１の嵌合片１−１ａを回転させながら差し入れられる溝２−４が形成され、垂直片２−ｌの背面には後述する壁面Ｗへの取付金具に係合する先端に鉤状部２−５ａを有する水平に伸びる係合片２−５が全長に亘って形成されている。【００１３】  また、棚受金具取付レール２の垂直片２−１の上下端は、壁面Ｗとの間に間隔を空けてボードＢを張りたいときに、上下端面に溝を掘ったボードＢをその溝を嵌合させることによって取り付ける役割を果たせるようにしてある。【００１４】  ３は、前記レール２を壁面Ｗに取り付けるための取付金具であって、ネジ挿通用の丸孔３−１ａと傾斜した長孔３−１ｂを形成した断面Ｌ字状の取付基板３−１と、上端が該取付基板に枢支され、且つ、取付基板３−１の丸孔と傾斜した長孔のそれぞれに対向する位置に丸孔３−２ａと傾斜した長孔３−２ｂを形成した下端に鉤部３−２ｃを有する係止板３−２とから構成されており、前記レール２の先端鉤状部２−５ａを係止板３−２の鉤部３−２ｃと取付基板３−１の下端辺３−１ｃの段部３−１ｄとの間で挟着固定できるようになっている。【００１５】  次に、本発明装置の具体的用法を説明する。【００１６】  レール２を壁面に取り付ける準備段階として、レール２に必要数の取付金具３を装着しておく。【００１７】  この取付金具３のレール２への装着方法は、レール２の背面にある係合片２−４の先端鉤状部２−５ａを係止板３−２の鉤部３−２ｃと取付基板３−１の下端辺３−１ｃとの隙間に押し込むと、鉤部３−２ｃの傾斜面と先端鉤状部２−５ａの傾斜面の作用で係止板３−２は一旦上端の枢支部を支点として反転し、先端鉤状部２−５ａは取付基板３−１の下端辺３−１ｃの段部と係止板３−２の鉤部３−２ｃとの間の空間部に入り込むため、簡単に装着できる。【００１８】  而して、レール２の取り付け予定位置の壁面Ｗに水平線を付し、この線上にレール２に装着した取付金具３の取付基板３−１と係止板３−２とに共通する長孔３−１ｂ、３−２ｂにそれぞれ挿通させたネジｂで壁面に仮止めする。【００１９】  この仮止め状態で、レール２の高さが適正であるか、レール２が壁面に沿って曲がらないかを見て、レール２の高さが適正でない場合は、長孔３−１ｂ、３−２ｂに沿って取付金具３をずらせて適正位置に修正し、レール２が壁面に沿って曲がるであろうと思われる個所では該当する取付金具３の取付基板３−１と壁面Ｗの間に板状のスペーサー（図示せず）を介在させて壁���の凹凸を補正し、ネジｂを緊締すると同時に取付金具３の取付基板３−１と係止板３−２とに共通する丸孔３−１ａ、３−２ａにそれぞれ挿通させたネジａで壁面に緊締固定する。【００２０】  この両ネジａ、ｂを緊締固定するときに、係止板３−２はこのネジａ、ｂの頭部に押されて取付基板３−１に近づき、係合片２−５の先端鉤状部２−５ａは係止板３−２の鉤部３−２ｃと取付基板３−１の下端辺３−１ｃの段部３−１ｄとの間で挟着固定され、レール２はこれら取付金具３…３を介して曲がることなく壁面Ｗに取り付けられることになる。【００２１】  また、両ネジａ、ｂで壁面に緊締固定された状態では、取付金具３の長孔３−１ｂ、３−２ｂは、垂直方向の長孔ではなく、傾斜した長孔としてあるので、水平方向の移動が丸孔３−１ａ、３−２ａに挿通されているネジａによって規制されるため、上下方向には移動できず、水平状態が保持されるものである。【００２２】  レール２の取り付け完了後、その取付位置が諸事情によって適正でないことが判明したときは、全ての取付金具３の丸孔３−１ａ、３−２ａに挿通されているネジａのみを全て抜き取り、全ての取付金具３の長孔３−１ｂ、３−２ｂに挿通されているネジｂを緩めて前述の仮止め状態に戻し、適正位置にずらせて調整すればよいものであるが、ネジｂを緩めなくてもずらせる作業ができるのであれば、ネジｂを緩めない方が好ましい。
【発明の効果】
【００２３】  以上述べた如く、本発明に係る棚受金具取付レールの壁面取付装置によれば、棚受金具を取り付けるためのレールを壁面に固定する取付金具とから構成される棚受金具取付レールの壁面取付装置であって、取付金具は、ネジ挿通用の丸孔と傾斜した長孔を形成した断面Ｌ字状の取付基板と、上端が該取付基板に枢支され、且つ、取付基板の丸孔と傾斜した長孔のそれぞれに対向する位置に丸孔と傾斜した長孔を形成した下端に鉤部を有する係止板とから構成され、取付金具をネジにて壁面に取り付ける際に前記レールの垂直片の背面から水平に伸びる係合片の先端鉤状部を係止板の鉤部と取付基板の下端辺の段部との間で挟着固定するようにしたものであるから、仮止めしたネジを抜かなくても取付位置の調節が簡単にでき、レールが曲がるという不都合も解消でき、また、ボードを張るときにも壁面とレールとの間に間隔を空けることができて便利であるという棚受金具取付レールの壁面取付装置を提供することができるものである。
【図面の簡単な説明】
【図１】  本発明装置の棚受金具の斜視図である。
【図２】  同装置の棚受金具取付レールと取付金具の斜視図である。
【図３】  同装置を壁面に取り付けた状態の縦断側面図である。
【符号の説明】
１          棚受金具
２          棚受金具取付レール
３          取付金具
【図１】
2005095548.tif 000003
【図２】
2005095548.tif 000004
【図３】
2005095548.tif 000005